(57)【要約】【課題】布団等を挟み付ける際に生じる腕部のずれによる挟持力の低下を防ぐことができる布団バサミを提供する。【解決手段】相対回動が可能な二つの腕部１０，２０を備えており、該腕部１０，２０の一方は、該腕部１０と長手方向が一致するスリット１０ｄを設け、前記腕部１０に、他方の腕部２０との間で布団等を挟持するための所定長の挟持部材１ａを前記スリット１０ｄに沿って摺動可能で、且つ二つの腕部１０，２０が互いに対向する向きを軸として回動自在に取付け、布団等を挟み付ける場合は、例えば挟持部材１ａを腕部１０の先端へ摺動させて９０゜回動させた状態で使用することができるようにした。【選択図】図７
2006095325.tif 000002
【特許請求の範囲】
【請求項１】
相対回動が可能な二つの腕部を備える布団バサミにおいて、前記腕部の一方は、該腕部と長手方向が一致するスリットを有しており、前記腕部の一方に、前記腕部の他方との間で対象物を挟持するための所定長の挟持部材が前記スリットに沿って摺動可能で、且つ二つの腕部が互いに対向する向きを軸として回動自在に取付けてあることを特徴とする布団バサミ。
【発明の詳細な説明】
【技術分野】
【０００１】
本発明は、布団、毛布などの主に寝具を挟持するための布団バサミに関する。
【背景技術】
【０００２】
従来、布団、毛布などの比較的広い面積を有する布類（以下、布団等という）を天日干しする場合は、ベランダ、物干し竿などに布団等を掛け、布団バサミを用いてベランダの手摺りにて前記布団等を挟み付けている。前記布団バサミは一般に、一対の腕部が夫々の基端部を枢軸にて回動可能に軸支された構成となっている。また、干された布団等は風の影響により舞い上がって落下する虞があるため、用いる布団バサミは挟持力が比較的強固である必要があり、両腕部を挟持方向へ付勢するためのスプリング等が備えられている。
【０００３】
また、布団等を挟持する際の両腕部のずれによる挟持力の低下を防止することを目的とする布団バサミが提案されている（例えば、特許文献１，２参照）。
【特許文献１】実公平５−９１５８６号公報
【特許文献２】実公平６−１０９５９号公報
【発明の開示】
【発明が解決しようとする課題】
【０００４】
しかし、特許文献１，２等に提案されている布団バサミによる場合は、挟持力を強化するという目的は達成されていない。従って、布団等の挟み付けが容易で強固に挟持可能であり、挟み付けた後は挟持力を維持することができて脱落を防止することができる布団バサミが要望されている。
【０００５】
本発明は、上述したような事情に鑑みてなされたものであり、二つの腕部の一方に、該腕部と長手方向が一致するスリットを設け、該一方の腕部に、腕部の他方との間で対象物を挟持するための所定長の挟持部材を前記スリットに沿って摺動可能で、且つ二つの腕部が互いに対向する向きを軸として回動自在に取付けることにより、布団等を挟み付けるとき、例えば挟持部材を腕部先端へ摺動させて９０゜回動させた状態で使用することができ、挟み付ける際に生じる腕部のずれによる挟持力の低下を防止することができる布団バサミを提供することを目的とする。
【課題を解決するための手段】
【０００６】
本発明に係る布団バサミは、相対回動が可能な二つの腕部を備える布団バサミにおいて、前記腕部の一方は、該腕部と長手方向が一致するスリットを有しており、前記腕部の一方に、前記腕部の他方との間で対象物を挟持するための所定長の挟持部材が前記スリットに沿って摺動可能で、且つ二つの腕部が互いに対向する向きを軸として回動自在に取付けてあることを特徴とする。
【０００７】
従って、本発明に係る布団バサミによる場合は、布団等を挟み付けるとき、例えば挟持部材を腕部先端へ摺動させて９０゜回動させた状態で使用することができ、挟み付ける際に生じる腕部のずれによる挟持力の低下を防止することができる布団バサミを実現することができる。
【発明の効果】
【０００８】
布団等を挟み付ける場合は、例えば挟持部材を腕部先端へ摺動させて９０゜回動させた状態で使用することができ、挟み付ける際に生じる腕部のずれによる挟持力の低下を防止することができる布団バサミを実現することができる。
【発明を実施するための最良の形態】
【０００９】
以下、本発明をその実施の形態を示す図面に基づいて詳述する。
実施の形態１
図１は、本発明に係る布団バサミの実施の形態１を示す正面図であり、図２は、挟持部の動作態様を示す正面図であり、図３は、挟持部の動作態様を示す側面図である。図中１，２は、夫々の基端部が枢軸３にて回動可能に支持され、布団等の対象物を挟持するための一対の腕部である。夫々の腕部１，２は、前記基端部近傍で布団等を挟持する側を凹部となるよう互いに逆向きに湾曲した形状をなしていると共に、腕部２の先端部は腕部１側に突出して一方の挟持部２ａをなしている。なお、以下の説明では簡略のため、腕部１，２により布団等の対象物を挟持する向きを挟持方向、その逆を開放方向とし、腕部１，２における挟持方向側を内側、その逆を外側とし、腕部１，２の先端に対して基端部方向を上方、その逆を下方として説明する。
【００１０】
腕部１の内側には、前記腕部１と長手方向が一致して所定長を有する空洞の挟持部１ａが取り付けられている。より具体的に説明すると、腕部１内側には、前記挟持部２ａに対向する位置を一端とし、該一端から上方へ所定間隔離隔した位置を他端とする所定長のスリット１ｄが設けられ（図３参照）、一方、挟持部１ａの外側における長手方向略中心位置には孔１ｅが設けられている（図３参照）。前記スリット１ｄ及び孔１ｅにはリベット１ｂの夫々の端部が挿嵌され（図３参照）、更に腕部１及び挟持部１ａが適度な圧力をもって当接すべく、挟持部１ａ内にてリベット１ｂに弾性体１ｃが取り付けられることにより（図１参照）、前記挟持部１ａはスリット１ｄに沿って上下方向へ摺動可能にして腕部１に取り付けられている。なお図１では、挟持部１ａがスリット１ｄに沿って最も上方に位置する場合について示しており、この場合、腕部１及び挟持部１ａは下端が略一致している。
【００１１】
図２に示す如く、最も上方に位置する挟持部１ａはスリット１ｄに沿って下方へ摺動させることにより、挟持部１ａの略中心位置が、腕部２の挟持部２ａに対向する位置に達するまで下降させることができる。また、挟持部１ａはリベット１ｂにより腕部１に取り付けられているため、図３に示す如く、スリット１ｄにおける最も下方の位置にて前記リベット１ｂを中心として回動させることができる。従って、布団等を挟持する場合に挟持部１ａを９０゜回動しておくことにより、挟持部１ａ，２ａに位置ずれが生じた場合であっても、安定して布団等を挟持することができる。また、未使用時にはスリット１ｄに沿って摺動させて最も上方へ位置させておくことにより、小型化することができ、収納スペースを節約することができる。
【００１２】
一方、図１中４は、枢軸３と軸を一致させた歯車であり、腕部１に取り付けられている。また、前記歯車４の歯間に一端が係合して該歯車の回転を係止する係止部５が、腕部２の基端部にて枢軸３と同じ向きの軸（図示せず）により他端を軸支されている。前記係止部５の他端には、一方向（腕部２の外側から内側の方向）へ押動することにより前記係止部５を前記軸回りに回動せしめ、該係止部５を歯車４から解放する押動部６が取り付けられており、前記係止部５及び押動部６により係合部７が構成されている。前記歯車４及び係合部７は、係止部５が歯間に係合した場合に、腕部１が開放方向へ回動するのを制限するラチェット部８を構成する。
【００１３】
また、腕部２は長手方向に直交する断面が、外側に開口を有する溝形状を成しており、前記枢軸３にて一端部を支点として他端部が開放方向及び挟持方向へ可動であるレバー９が収納されている。該レバー９の他端部には、腕部２に対して内側へ突出した突部９ａが形成されており、断面が溝形状をなす腕部２の内側該当個所に設けられた開口部（図示せず）に嵌合し、腕部２に対して内側に突出している。
【００１４】
また、前記レバー９の支点近傍には、歯車４の歯間に係合し、レバー９が腕部２における開放方向へ可動した場合に、腕部１を挟持方向へ回動せしめるべく歯車４を回転させるための第１爪部９ｂと、該第１爪部９ｂが歯車４を回転させた後に係合部７を構成する押動部６に内側から当接する第２爪部９ｃとが取り付けられている。該第２爪部９ｃは、前記第１爪部９ｂによって歯車４を回転させた後、更にレバー９を開放方向へ可動することにより前記押動部６を外側へ回動させる。これに伴い係止部５が歯車４の歯間に係合して歯車４の回転を係止し、腕部２が開放方向へ回動するのを制限する。
【００１５】
次に、上述した如くの構成をなす布団バサミを用いて布団等を挟持する場合の動作態様について説明する。図４乃至図６は、腕部１，２の動作態様を説明するための部分詳細図である。図４に示すように押動部６が内側へ押動されている場合、係止部５は歯車４に係合しないため、腕部１は枢軸３を軸として自由に回動することができ、ベランダに掛けられた布団等に前記布団バサミを取り付けることができる。なお、使用者は腕部２を片手で握り、親指などを使用して押動部６を容易に操作することができる。
【００１６】
また、レバー９を外側へ可動させた場合、図５に示すように、第１爪部９ｂが歯車４の歯間に係合して該歯車４を回転させ、腕部１を挟持方向へ回動させる。その後更に、第２爪部９ｃが押動部６を内側から外側へ押動し、これに伴い係止部５が歯車４の歯間に係合して該歯車４を係止するため、腕部１は開放方向へ回動することを制限される。なお、使用者は腕部２を片手で握り、人差し指、中指などを使用して、レバー９の他端に形成された突部９ａを外側へ押すことにより、容易に腕部１を挟持方向へ回動させることができる。また、レバー９は、一端である枢軸３の位置（支点）から突部９ａ（力点）までの距離が、第１爪部９ｂ（作用点）までの距離に比して長いため、比較的小さな力で腕部１を挟持方向へ回動させることができる。従って、レバー９を片手で操作し、指先で突部９ａを複数回外側へ押すだけで、布団等を強固に挟持することができると共に、挟持力を維持することができる。
【００１７】
更に、布団等を挟持する布団バサミを取り外す場合は、図６に示す如く、押動部６を親指などで内側へ押すことにより、係止部５は歯車４から解放され、腕部１の開放方向への回動の制限が解除されるため、腕部１，２を開放方向へ容易に広げることができる。
【００１８】
本実施の形態に係る布団バサミによれば、ラチェット部８及びこれと係合するレバー９を備えるため、腕部１，２の挟持方向への回動をレバー９の操作により行うことができると共に、挟持力を維持することができる。また、ラチェット部８が備える係合部７は指先で操作可能な押動部６を有し、レバー９は指先で操作可能な突部９ａを有するため、片手操作により腕部１，２の挟持方向への回動が可能であり、制限される開放方向への回動の解除をワンタッチで行うことができる。
【００１９】
更に、挟持部１ａがスリット１ｄに沿って摺動可能であり、最下端でリベット１ｂを軸に回動可能であるため、布団等を挟持する場合に挟持部１ａを９０゜回動しておくことにより、挟持部１ａ，２ａに位置ずれが生じた場合であっても、安定して布団等を挟持することができ、未使用時にはスリット１ｄに沿って最上端に位置させて小型化することができ、収納スペースを節約することができる。
【００２０】
実施の形態２
図７は布団バサミの実施の形態２の一部を切欠いた正面図、図８は図７のVIII−VIII線の拡大断面図である。
実施の形態２の布団バサミは、夫々の基端部が枢軸３０にて相対回動を可能に支持された２つの腕部１０，２０の開放方向への回動を制限する手段として、固定歯４０及び該固定歯４０と接離する方向への移動が可能な可動歯５０を有する構成としたものである。
【００２１】
一方の腕部１０の基端部は貫通孔１０ａを有する筒部１０ｂと、貫通孔１０ａの周りに凹設された環状凹部１０ｃとを備え、該環状凹部１０ｃに前記固定歯４０が固定されている。また、腕部１０の先端部にはその長手方向が腕部１０の長手方向となるスリット１０ｄを有し、該スリット１０ｄに挿嵌された軸部材１０ｅを介して前記挟持部１ａが取り付けられている。
【００２２】
この固定歯４０は腕部１０と別個に形成されたもので、前記環状凹部１０ｃに嵌合される嵌合環部４０ａと、該嵌合環部４０ａの一側に突設されたラチェット歯形の複数の歯４０ｂとを有する。
【００２３】
他方の腕部２０の基端部は前記筒部１０ｂが嵌合される嵌合孔２０ａを有する嵌合筒部２０ｂと、該嵌合筒部２０ｂの周りに凹設された環状凹部２０ｃと、該環状凹部２０ｃの一側から腕部２０の長手方向へ凹設された凹部２０ｄとを備えている。前記環状凹部２０ｃには、前記固定歯４０と接離する方向への移動が可能な前記可動歯５０と、該可動歯５０を付勢する第１の弾性体６０と、該弾性体６０の付勢力に打ち勝って前記可動歯５０を移動させるレバー９０とが保持されている。また、凹部２０ｄには前記レバー９０の操作部９０ａ及びレバー９０を付勢する第２の弾性体７０が収容されている。
【００２４】
図９は可動歯の構成を示すもので、(a) は正面図、(b) は側面図である。
可動歯５０は前記嵌合筒部２０ｂの外周に相対回転ができないように嵌合される嵌合環部５０ａと、該嵌合環部５０ａの一側に突設されたラチェット歯形の複数の歯５０ｂと、該歯５０ｂよりも外周側の一側に周方向に離間して突設された３つの凸部５０ｃとを有しており、未挟持時にはコイルバネからなる前記弾性体６０の付勢力によって固定歯４０と噛合する方向へ付勢され、固定歯４０との噛合により、腕部１０，２０の相対回動を制限し、移動によって固定歯４０との噛合を解除することにより、腕部１０，２０の相対回動を可能にしている。凸部５０ｃは該凸部５０ｃに連なる傾斜面を介して設けられている。
【００２５】
図１０はレバーの構成を示すもので、(a) は背面図、(b) は一部を切欠いた側面図である。
レバー９０は、前記可動歯５０の周りに回動可能に配置され、前記凸部５０ｃと係合する係合部９０ｂを有する環部９０ｃと、該環部９０ｃの一側に連なる前記操作部９０ａとを有している。係合部９０ｂは凸部５０ｃに対応する凹部からなり、未挟持時には係合部９０ｂと凸部５０ｃとが係合し、第１の弾性体６０によって可動歯５０が固定歯４０と噛合する位置へ移動しており、レバー９０の僅かな回動によって係合部９０ｂと凸部５０ｃとの係合が離脱し、環部９０ｃの非係合部と凸部５０ｃとの係合により第１の弾性体６０の付勢力に打ち勝って可動歯５０を移動させるようにしてある。
【００２６】
第２の弾性体７０はレバー９０と一体に成形された合成樹脂製の板片であり、その先端が前記凹部２０ｄの底面と当接し、操作部９０ａが押圧されることにより撓むようにしてある。
【００２７】
以上のように構成された実施の形態２の布団バサミは、布団等の対象物の未挟持時には、レバー９０の係合部９０ｂと可動歯５０の凸部５０ｃとが係合し、第１の弾性体６０によって付勢されている可動歯５０が固定歯４０と噛合しており、２つの腕部１０，２０は相対回動が制限されている。
【００２８】
図１１は可動歯の固定歯との噛合が解除された状態の説明図である。
対象物の挟持時には、第２の弾性体７０の付勢力に打ち勝ってレバー９０の操作部９０ａを片手の指で押圧するのであり、この押圧によってレバー９０が僅かに回動し、前記係合部９０ｃと凸部５０ｃとの係合が離脱するとともに、環部９０ｃの非係合部と凸部５０ｃとが係合し、第１の弾性体６０の付勢力に打ち勝って可動歯５０が移動し、該可動歯５０の固定歯４０との噛合が解除される。この結果、２つの腕部１０，２０を開放方向へ自由に回動させることができる。
【００２９】
この状態でレバー９０の操作を止めることにより、第２の弾性体７０の弾性復元力によってレバー９０が復帰し、前記した未挟持時と同様、レバー９０の係合部９０ｂと可動歯５０の凸部５０ｃとが係合し、第１の弾性体６０によって付勢されている可動歯５０が固定歯４０と噛合する。この状態で２つの腕部１０，２０を挟持方向へ相対回動させることにより、可動歯５０が固定歯４０に対して係脱しつつ相対回動し、対象物を容易に挟持することができる。このように対象物を挟持した状態で腕部１０，２０の操作を止めることにより、可動歯５０と固定歯４０との噛合状態が維持され、対象物の挟持状態を維持することができる。
【００３０】
また、対象物から布団バサミを取り外す場合は、前記レバー９０の操作部９０ａを押圧することにより、可動歯５０の固定歯４０との噛合が解除され、２つの腕部１０，２０を開放方向へ自由に回動させることができる。
【００３１】
本実施の形態２に係る布団バサミによれば、２つの腕部１０，２０による対象物の挟持状態を固定歯４０と可動歯５０との噛合によって維持することができるため、腕部１０，２０による挟持力が比較的大きくなる場合においても、挟持状態を維持する部分の破損を防ぐことができ、耐久性を高めることができる。
【００３２】
また、腕部２０に対して移動可能とした可動歯５０をレバー９０の押し操作で移動させるため、２つの腕部１０，２０と該腕部１０，２０が挟持した対象物との接触抵抗に関係なく可動歯５０を移動させることができ、比較的小さい操作力でレバー９０を操作することができる。さらに、このレバー９０の操作を止めたとき、第２の弾性体７０の弾性復元力によってレバー９０を自動的に復帰させることができるため、レバー９０を片手で押し操作するだけで対象物の挟持及び挟持解除が行え、操作性を向上できる。
【００３３】
尚、以上説明した実施の形態２では、腕部１０に固定歯４０を設け、腕部２０に可動歯５０及びレバー９０を保持したが、その反対に、腕部２０に固定歯４０を設け、腕部１０に可動歯５０及びレバー９０を保持してもよい。また、レバー９０に係合部９０ｂを設け、可動歯５０に凸部５０ｃを設けたが、その反対に、レバー９０に凸部５０ｃを設け、可動歯５０に係合部９０ｂを設けてもよい。
また、固定歯４０と可動歯５０との一方は全周に亘って歯を設け、他方は複数の歯を設けた構成としてもよい。
【図面の簡単な説明】
【００３４】
【図１】本発明に係る布団バサミの実施の形態１を示す正面図である。
【図２】挟持部の動作態様を示す正面図である。
【図３】挟持部の動作態様を示す側面図である。
【図４】腕部の動作態様を説明するための部分詳細図である。
【図５】腕部の動作態様を説明するための部分詳細図である。
【図６】腕部の動作態様を説明するための部分詳細図である。
【図７】本発明に係る布団バサミの実施の形態２の一部を切欠いた正面図である。
【図８】図７のVIII−VIII線の拡大断面図である。
【図９】本発明に係る布団バサミの可動歯の構成を示すもので、(a) は正面図、(b) は側面図である。
【図１０】本発明に係る布団バサミのレバーの構成を示すもので、(a) は背面図、(b) は一部を切欠いた側面図である。
【図１１】本発明に係る布団バサミの可動歯の固定歯との噛合が解除された状態の説明図である。
【符号の説明】
【００３５】
１，２  腕部
１ａ    挾持部（挾持部材）
１ｂ    リベット（軸）
１ｄ    スリット
１０，２０  腕部
１０ｄ  スリット
１０ｅ  軸部材（軸）
【図１】
2006095325.tif 000003
【図２】
2006095325.tif 000004
【図３】
2006095325.tif 000005
【図４】
2006095325.tif 000006
【図５】
2006095325.tif 000007
【図６】
2006095325.tif 000008
【図７】
2006095325.tif 000009
【図８】
2006095325.tif 000010
【図９】
2006095325.tif 000011
【図１０】
2006095325.tif 000012
【図１１】
2006095325.tif 000013